(57)【要約】【課題】スクリーンとの干渉を防ぐことができ、且つボールチェーンの衝突を緩和させて衝突音を低減させることができるブラインドの操作装置を提供する。【解決手段】ブラインドの操作装置３０は、回転可能に支持されたプーリ３８と、該プーリ３８を収容するケース３２と、プーリ３８に巻き掛けられると共にケース３２から導出されるボールチェーン４２と、を備え、スクリーン１４の前側でスクリーン１４の幅方向に重なり合うように配置される。プーリ３８の回転軸は遮蔽材１４の幅方向を向いており、ケース３２には、ケース３２から導出されるボールチェーン４２を手前方向に導くスロープ４６が設けられ、該スロープ４６は、ケース３２に形成されたスロープ本体３２ｃとその上面を覆う緩衝材４４とから構成される。【選択図】図５
2008144528.tif 000002
【特許請求の範囲】
【請求項１】
回転可能に支持されたプーリと、該プーリを収容するケースと、プーリに巻き掛けられると共に該ケースから導出されるボールチェーンと、を備え、チェーンを操作することによってプーリが回転して、プーリの回転によって遮蔽材が昇降するようになった、ブラインドの操作装置において、
該ブラインドの操作装置は遮蔽材の前側で遮蔽材の幅方向に重なり合うように配置されて、プーリの回転軸は遮蔽材の幅方向を向いており、ケースから導出されるボールチェーンを手前方向に導くスロープが設けられ、該スロープは緩衝材によって構成されることを特徴とするブラインドの操作装置。
【請求項２】
前記スロープは、ケースに一体に形成されるスロープ本体と、スロープ本体の上面を覆う前記緩衝材とから構成されることを特徴とする請求項１記載のブラインドの操作装置。
【請求項３】
前記緩衝材は、前記スロープ本体に着脱可能に取り付けられることを特徴とする請求項２記載のブラインドの操作装置。
【請求項４】
前記スロープの長さは、ボールチェーンを構成する任意の２つ以上のボール部が常に緩衝材に接触するように設定されることを特徴とする請求項１ないし３のいずれか１項に記載のブラインドの操作装置。
【請求項５】
前記緩衝材は、ボールチェーン移動時においてプーリから離れたボールチェーンがスロープに接触する最上位位置から該最上位位置にボールチェーンを構成するボール部が位置する時に少なくとも下方に隣り合うボール部が存在する位置までに亘って設けられることを特徴とする請求項１ないし４のいずれか１項に記載のブラインドの操作装置。
【請求項６】
前記スロープは、ボールチェーンの前側導出部分と後側導出部分のうちの後側導出部分にのみ対応して設けられることを特徴とする請求項１ないし５のいずれか１項に記載のブラインドの操作装置。
【発明の詳細な説明】
【技術分野】
【０００１】
本発明は、ブラインドの遮蔽材の昇降を操作するためのブラインドの操作装置に関する。
【背景技術】
【０００２】
従来、この種のブラインドとしては、特許文献１に記載されたカーテン開閉装置が知られている。該特許文献１に記載されたものでは、ループ状に形成したチェーンを手動で引下げ操作してチェーンホイルを回転させてカーテンを開閉するチェーン駆動式カーテン開閉装置であり、チェーンホイルを内蔵する駆動器において、チェーンの引下げ側と対応するチェーンホイルの下部周面を除いて、チェーンと噛合するチェーンホイルの周面全体を緩衝部材により囲繞するようになっている。これによって、チェーンホイルの周面全体を囲繞する緩衝部材にチェーンの珠が接触するので、衝突時に生じる衝撃が吸収されるようになっている。
【０００３】
【特許文献１】実公平８−３３３６号公報
【発明の開示】
【発明が解決しようとする課題】
【０００４】
しかしながら、上記従来の構成では、チェーンがチェーンホイルの真下に垂下しているため、チェーンとシェードとが干渉するのを防ぐためには、チェーンホイルを内蔵する駆動器をシェードよりも幅方向外側に配置する必要があり、シェードの端部と窓枠との間に隙間が生じてしまう、という問題がある。
【０００５】
また、緩衝部材がチェーンホイル周面全体を囲繞しているために、コストがかかるという問題がある。
【０００６】
本発明はかかる課題に鑑みなされたもので、スクリーンとの干渉を防ぐことができ、且つボールチェーンの衝突を緩和させて衝突音を低減させることができるブラインドの操作装置を提供することをその目的とする。
【課題を解決するための手段】
【０００７】
前述した目的を達成するために、請求項１記載の発明は、回転可能に支持されたプーリと、該プーリを収容するケースと、プーリに巻き掛けられると共に該ケースから導出されるボールチェーンと、を備え、チェーンを操作することによってプーリが回転して、プーリの回転によって遮蔽材が昇降するようになった、ブラインドの操作装置において、
該ブラインドの操作装置は遮蔽材の前側で遮蔽材の幅方向に重なり合うように配置されて、プーリの回転軸は遮蔽材の幅方向を向いており、ケースから導出されるボールチェーンを手前方向に導くスロープが設けられ、該スロープは緩衝材によって構成されることを特徴とする。
【０００８】
請求項２記載の発明は、請求項１記載の前記スロープが、ケースに一体に形成されるスロープ本体と、スロープ本体の上面を覆う前記緩衝材とから構成されることを特徴とする。
【０００９】
請求項３記載の発明は、請求項２記載の前記緩衝材が、前記スロープ本体に着脱可能に取り付けられることを特徴とする。
【００１０】
請求項４記載の発明は、請求項１ないし３のいずれか１項に記載の前記スロープの長さが、ボールチェーンを構成する任意の２つ以上のボール部が常に緩衝材に接触するように設定されることを特徴とする。
【００１１】
請求項５記載の発明は、請求項１ないし４のいずれか１項に記載の前記緩衝材が、ボールチェーン移動時においてプーリから離れたボールチェーンがスロープに接触する最上位位置から該最上位位置にボールチェーンを構成するボール部が位置する時に少なくとも下方に隣り合うボール部が存在する位置までに亘って設けられることを特徴とする。
【００１２】
請求項６記載の発明は、請求項１ないし５のいずれか１項に記載の前記スロープが、ボールチェーンの前側導出部分と後側導出部分のうちの後側導出部分にのみ対応して設けられることを特徴とする。
【発明の効果】
【００１３】
本発明によれば、ボールチェーンを操作したときに、ボールチェーンが主として衝突するスロープを緩衝材で構成することにより、スロープに当る際に発生する衝突を緩和させて衝突音を低減させることができる。スロープによってボールチェーンを手前方向に導くことができるので、操作装置と遮蔽材とが幅方向に重なり合っていても遮蔽材と干渉しない位置でボールチェーンを垂下させることができる。
【００１４】
スロープを緩衝材によって構成することによって、コストを低減することができる。
【００１５】
請求項２記載の発明によれば、緩衝材をスロープ本体の上面を覆うようにすることで、コストを低減することができる。
【００１６】
請求項３記載の発明によれば、緩衝材はスロープ本体に着脱可能に取り付けられることから、緩衝材の経年変化によってその緩和効果が低減していった場合には、新しいものと交換することができる。
【００１７】
請求項４記載の発明によれば、ボールチェーンを構成する任意の２つ以上のボール部が常に緩衝材に接触するので、ボールチェーンのばたつきを防ぐことができる。
【００１８】
請求項５記載の発明によれば、ボールチェーンを構成するボール部がプーリから離れてスロープに接触する際のボールチェーンのばたつきを防ぐことができる。
【００１９】
請求項６記載の発明によれば、スロープは、ボールチェーンの前側導出部分と後側導出部分のうちの後側導出部分にのみ対応して設けられるので、スロープからボールチェーンが受ける抵抗を小さく抑えることができる。
【発明を実施するための最良の形態】
【００２０】
以下、図面を用いて本発明の実施の形態を説明する。
図１は、本発明のブラインドの操作装置が適用されるブラインドの一例を表す正面図である。この例では、ブラインド１０は、プリーツスクリーンとなっており、ブラケット１１によって窓枠等の固定部に取り付けられるヘッドボックス１２を備え、ヘッドボックス１２からは遮蔽材である複数の襞が上下方向に連続して形成されるスクリーン１４が昇降可能に吊り下げられている。スクリーン１４の下端にはボトムレール１６が設けられる。
【００２１】
ヘッドボックス１２からは複数の昇降コード１８、１８が垂下されており、昇降コード１８の下端はボトムレール１６に取り付けられる。また、昇降コード１８の上端はヘッドボックス１２に導入されて、ヘッドボックス１２内に配設された巻取ドラム２０に巻取り・巻解き可能に取り付けられる。巻取ドラム２０には、ヘッドボックス１２内で回転可能に軸支される回転駆動軸２２が相対回転不能に貫通しており、巻取ドラム２０は回転駆動軸２２と共に回転する。回転駆動軸２２は、ヘッドボックス１２の一端に設けられた本発明のブラインドの操作装置３０に連結される。
【００２２】
ブラインドの操作装置３０は、そのケース３２がヘッドボックス１２の一端に取り付けられている。ケース３２は、図３及び図４に示したように、硬質のプラスチック成形品でそれぞれ形成されて分離可能となった第１ケース３４と第２ケース３６とから構成される。これらの第１ケース３４と第２ケース３６は、通常時は、嵌め合わされてネジ３７によりネジ止めされることにより一体のケース３２を構成しており、ネジ３７を外すことにより分離される。また、ケース３２の正面上下方向中央部付近から底部前部にかけて、第１ケース３４と第２ケース３６との間の隙間によって開口部３２ａが形成されている。この例では、第１ケース３４と第２ケース３６との２部品からケース３２が構成されているが、必ずしもこれに限ることはなく、他の任意の数の部品で構成することができる。
【００２３】
ケース３２内にはプーリ３８が回転可能に収容される。プーリ３８は第１ケース３４に形成されたボス３２ｂに軸支されており、その回転軸はスクリーン１４の面と平行に、つまり、ブラインド１０及びスクリーン１４の幅方向に平行に向いている。プーリ３８の外周面には、後述のボールチェーン４２のボール部４２ｂがはまり込む複数の凹部３８ａが形成されている。
【００２４】
プーリ３８には、複数のギヤからなる伝達部４０が連結されており、伝達部４０によってプーリ３８の回転が前記回転駆動軸２２に伝達されるようになっている。
【００２５】
プーリ３８には無端状のボールチェーン４２が巻き掛けられる。ボールチェーン４２は、紐部４２ａと、紐部４２ａの所定間隔毎に形成され前記プーリ３８の凹部３８ａに嵌合可能となったボール部４２ｂとを備えている。ボールチェーン４２のプーリ３８に巻き掛けられていない部分は、前記開口部３２ａを通りケース３２から導出される。開口部３２ａを通過するボールチェーン４２の２つの導出部分は、前側導出部分４２Ｆと後側導出部分４２Ｒとに分かれている。
【００２６】
ケース３２の開口部３２ａには、ボールチェーン４２の後側導出部分４２Ｒに該当する部分に対応して、下方に向かって手前側に突出するスロープ本体３２ｃが形成されている。該スロープ本体３２ｃは、具体的には、ケース３２を構成する第１ケース３４に一体に形成されている。
【００２７】
スロープ本体３２ｃの上面には該上面を覆うようにして緩衝材４４が取り付けられている。具体的には、緩衝材４４は、スロープ本体３２ｃの最上位から奥側において形成された凹部３２ｄにはまり込んで、且つスロープ本体３２ｃの下端を回り込むことにより、スロープ本体３２ｃに着脱可能に取り付けられる。第１ケース３４から第２ケース３６を分離し、第１ケース３４の第２ケース３６側から緩衝材４４を挿入し、第２ケース３６を再び第１ケース３４に結合することによって、緩衝材４４をスロープ本体３２ｃにセットすることができる。
【００２８】
緩衝材４４は、ケース３２を構成する材料よりも弾性を有し、さらに好ましくは摩擦抵抗が軽減された材料からなり、例えば、ウレタンゴム等の合成ゴム、熱可塑性エラストマー、シリコーンゴム、軟質プラスチック等から構成することができる。
【００２９】
スロープ本体３２ｃと緩衝材４４とによってスロープ４６が構成される。
【００３０】
図５及び図６に示すように、スロープ４６によって、ボールチェーン４２の後側導出部分４２Ｒはプーリ３８の後側の鉛直方向の接線よりも手前方向に導かれており、さらに、後側導出部分４２Ｒは、ボールチェーン４２の移動中にプーリ３８から離れたボールチェーン４２がスロープ４６に接触する最上位位置（即ち、図６の点線で書いたボール部４２ｂが点線の位置には行かずにスロープ４６に接触する地点）よりも手前方向に導かれており、後側導出部分４２Ｒは、後側の鉛直方向の接線よりも手前側で且つ該最上位位置よりも手前側で垂下する。一方、ボールチェーン４２の前側導出部分４２Ｆは、スロープ４６の影響は受けずに、プーリ３８の前側の鉛直方向の接線にほぼ沿って、且つボールチェーン４２とプーリ３８との前側の離反位置の真下の位置で垂下する。
【００３１】
このようにして、スロープ４６によってボールチェーン４２の後側導出部分が手前側へと導かれているために、ボールチェーン４２とスクリーン１４との干渉を防ぐことができる。そのために、操作装置３０は、スクリーン１４の前側でスクリーン１４の幅方向に重なり合うように配置されている。
【００３２】
以上のように構成されるブラインドの操作装置においては、スクリーン上昇操作をするために、ボールチェーン４２の前側導出部分４２Ｆを持って下方に下げると、図５に示すように、ボールチェーン４２の後側導出部分４２Ｒは、図に点線で示すように揺れながらプーリ３８の下側でスロープ４６上に引き込まれる。この際に緩衝材４４が下方に向かって手前側へと突出しているために、ボールチェーン４２とスロープ４６との衝突を緩和させ衝突音を低減させることができる。
【００３３】
スクリーン下降操作時には、図６に示すように、ボールチェーン４２が図５と反対方向に移動する。このときに、プーリ３８の下側からボールチェーン４２が前側に押し出されるように動作する。ボールチェーン４２のボール部４２ｂがプーリ３８から離反したときに、図に示したように、スロープ４６の緩衝材４４に当るために、衝突を緩和させ衝突音を低減させることができる。
【００３４】
スロープ４６の上下方向の長さは、ボールチェーン４２の少なくとも２つの隣り合うボール部４２ａが緩衝材４４に常時接触するような長さとするとよい。これによって、１つのボール部４２ａのみが緩衝材４４に接触する場合と比較して、ボールチェーン４２のばたつきを抑えることができる。
【００３５】
また、緩衝材４４の上下方向の長さは、前述のボールチェーン４２が移動中にプーリ３８から離れたボールチェーン４２がスロープ４６に接触する最上位位置（即ち、図６の点線で書いたボール部４２ｂが点線の位置には行かずにスロープ４６に接触する地点）から該最上位位置にボール部４２ａが位置する時に少なくともその下方に隣り合うボール部４２ａが存在する位置までに亘って設けられるとよい。これによって、ボールチェーン４２がプーリ３８から離反してスロープ４６に接触する際の衝突音を緩衝材４４によって低減させることができると共に、離反する際に起こり得るボールチェーン４２のばたつきを抑えることができる。
【００３６】
このように、操作装置３０とスクリーン１４とが前後方向に重なり合っていても、スロープ４６によってボールチェーン４２とスクリーン１４との干渉を防ぐことができるので、スクリーン１４を幅方向に最大限大きくとることができて、スクリーン１４とブラインドが設定される窓枠等との間の隙間の発生を防ぐことができる。また、ボールチェーン４２の前側導出部分４２Ｆに対応する部分はスロープがないために、ボールチェーン４２に作用する抵抗を抑えることができる。
【００３７】
緩衝材４４はスロープ本体３２ｃにのみ設けられているため、低コストで設定することができる。
【００３８】
緩衝材４４が経年変化によってその弾性が劣化していくと、衝突音の低減効果が少なくなっていくので、その場合には、緩衝材４４を交換することができる。交換は、上述のように第１ケース３４と第２ケース３６とを分離して、第１ケース３４から緩衝材４４を抜去して新しい緩衝材４４を挿入した後、第１ケース３４と第２ケース３６とを結合することで、簡単に行うことができる。
【００３９】
また、図７に示すように、ボールチェーン４２がボトムレール１６と干渉する位置にスロープ４６と同様の材質からなる緩衝材５４を設けることによって、操作時において揺れ動くボールチェーン４２がボトムレール１６と接触する際の衝突を緩和させ、ボールチェーン１６による衝突音をより一層低減させることができる。
【図面の簡単な説明】
【００４０】
【図１】本発明のブラインドの操作装置が適用されるブラインドの一例を表す正面図である。
【図２】図１のブラインドの側面図である。
【図３】本発明のブラインドの操作装置のボールチェーンを除く斜視図である。
【図４】本発明のブラインドの操作装置の分解斜視図である。
【図５】本発明のブラインドの操作装置の操作時を表す説明図である。
【図６】本発明のブラインドの操作装置の別の操作時を表す説明図である。
【図７】ブラインドのボトムレールに緩衝材を設けた状態を示す側面図である。
【符号の説明】
【００４１】
１０  ブラインド
１４  スクリーン（遮蔽材）
３０  ブラインドの操作装置
３２  ケース
３２ｃ  スロープ本体
３８  プーリ
４２  ボールチェーン
４２ｂ  ボール部
４２Ｆ  前側導出部分
４２Ｒ  後側導出部分
４４  緩衝材
４６  スロープ
【図１】
2008144528.tif 000003
【図２】
2008144528.tif 000004
【図３】
2008144528.tif 000005
【図４】
2008144528.tif 000006
【図５】
2008144528.tif 000007
【図６】
2008144528.tif 000008
【図７】
2008144528.tif 000009